(57)【要約】【課題】短時間で容易に光ディスクの種別を判別することができる光ディスク装置およびディスク種別判別方法を提供する。【解決手段】ピックアップ２３により読み取ったウォブル信号を検出し、検出されたウォブル信号を入力し、線速度３．４９ｍ／ｓと３．８４ｍ／ｓとの間の帯域を通過させるＢＰＦ（Ｂ）によって通過されたウォブル信号を検出し、このウォブル信号を用いて光ディスクの回転制御をＣＰＵ２９によって行う。【選択図】図４
2007273046.tif 000002
【特許請求の範囲】
【請求項１】
光ディスクにレーザを照射するレーザ照射手段と、
前記レーザ照射手段により読み取ったウォブル信号を検出する検出手段と、
前記検出手段により検出されたウォブル信号を入力し、所定の範囲の周波数を通過させるフィルタ手段と、
前記フィルタ手段によって通過されたウォブル信号を検出し、このウォブル信号を用いて前記光ディスクの回転制御を行う制御手段と、
を具備することを特徴とする光ディスク装置。
【請求項２】
請求項１に記載の光ディスク装置において、
前記フィルタ手段は、ダブルレイヤＤＶＤ＋Ｒの線速度とシングルレイヤＤＶＤ＋Ｒの線速度との間の線速度を通過させることを特徴とする光ディスク装置。
【請求項３】
請求項２に記載の光ディスク装置において、
前記フィルタ手段は、線速度３．８４ｍ／ｓから線速度３．４９ｍ／ｓの間の線速度を通過させることを特徴とする光ディスク装置。
【請求項４】
光ディスクにレーザを照射するレーザ照射手段と、前記レーザ照射手段により読み取ったウォブル信号を検出する検出手段と、前記検出手段により検出されたウォブル信号を入力し、所定の範囲の周波数を通過させるフィルタ手段とを備えた光ディスク装置であって、
前記フィルタ手段によって通過されたウォブル信号を検出し、このウォブル信号を用いて前記光ディスクの回転制御を行うことを特徴とするディスク種別判別方法。
【請求項５】
請求項４に記載のディスク種別判別方法において、
前記フィルタ手段は、ダブルレイヤＤＶＤ＋Ｒの線速度とシングルレイヤＤＶＤ＋Ｒの線速度との間の線速度を通過させることを特徴とするディスク種別判別方法。
【請求項６】
請求項５に記載のディスク種別判別方法において、
前記フィルタ手段は、線速度３．８４ｍ／ｓから線速度３．４９ｍ／ｓの間の線速度を通過させることを特徴とするディスク種別判別方法。
【発明の詳細な説明】
【技術分野】
【０００１】
本発明は、光ディスク装置に係わり、特に光ディスクの種別を容易に判別することが可能な光ディスク装置およびディスク種別判別方法に関する。
【背景技術】
【０００２】
一般的に光ディスクの種別を判別する場合、例えば、特開２００２−２３０７５３号公報に開示されているように、読み取ったウォブル信号の周波数によって、光ディスクの種類を判別する。
【特許文献１】特開２００２−２３０７５３号公報
【発明の開示】
【発明が解決しようとする課題】
【０００３】
上述した従来の技術においては、光ディスクの種別をＤＶＤ＋Ｒであるか否かまで判別することができるが、判別されたＤＶＤ＋Ｒがシングルレイヤかダブルレイヤかであるかを判別することができない。
【０００４】
本発明の目的は、短時間で容易に光ディスクの種別を判別することができる光ディスク装置およびディスク種別判別方法を提供することである。
【課題を解決するための手段】
【０００５】
上記目的を達成するために、本発明の一態様によれば、光ディスクにレーザを照射するレーザ照射手段と、前記レーザ照射手段により読み取ったウォブル信号を検出する検出手段と、前記検出手段により検出されたウォブル信号を入力し、所定の範囲の周波数を通過させるフィルタ手段と、前記フィルタ手段によって通過されたウォブル信号を検出し、このウォブル信号を用いて前記光ディスクの回転制御を行う制御手段と、を具備することを特徴とする光ディスク装置が提供される。
【発明の効果】
【０００６】
本発明を用いることにより、短時間で容易に光ディスクの種別を判別することができる光ディスク装置およびディスク種別判別方法を提供することができる。
【発明を実施するための最良の形態】
【０００７】
以下図面を参照して、本発明の実施形態を説明する。
【０００８】
図１には、本発明の第１実施形態に係る情報処理装置のシステム構成図が示されている。この情報処理装置は、例えばノートブック型コンピュータ１０として実現されている。
【０００９】
図１に示すように、コンピュータ１０は、コンピュータ本体と、ディスプレイユニット１２とから構成されている。ディスプレイユニット１２にはＬＣＤ（Liquid Crystal Display）からなる表示画面１２１が組み込まれている。
【００１０】
コンピュータ１０は、光ディスク装置１１等を有している。
【００１１】
光ディスク装置１１は、イジェクトボタン１１ａを備えており、図２に示すように、このイジェクトボタン１１ａを押下する等により、ドロワー部１１ｂが図３に示すように射出される。
【００１２】
図４は、本発明に係る光ディスク装置の要部構成を示すブロック図である。
【００１３】
光ディスク装置１１は、被判別ディスク２０（例えば、ＤＶＤ−Ｒ、ＤＶＤ＋Ｒ、ＣＤ−Ｒ等の光ディスク）を読み取るピックアップ２３、スピンドルモータ２２、ピックアップ２３の駆動やスピンドルモータ２２を制御するモータードライバ２６、被判別ディスク２０の回転を検出する回転検出機構２１、ＲＦアンプ２４、ウォブル復調回路２５、帯域制御回路３１、サーボ回路２７、回転制御回路２８、システム制御回路３０、ＣＰＵ２９等を備えている。
【００１４】
以上のように構成された本発明の実施形態に係る光ディスク装置を適用したディスク種別判別方法について図４および図５のフローチャート、図６〜１２を参照して説明する。
【００１５】
被判別ディスク（光ディスク）２０が光ディスク装置１１に装着されると、ピックアップ２３の光学機構によりレーザ光を被判別ディスク２０に照射する。光ディスクからの反射光は、ピックアップ２３内の分割ディテクタにより受光され、ＲＦアンプ２４に入力され、各種サーボ信号が生成される。
【００１６】
回転制御回路２８から出力された回転制御信号は、モータードライバ２６を介してスピンドルモータ２２を駆動して被判別ディスク２０を回転させる。
【００１７】
回転検出機構２１で検出された被判別ディスク２０の回転数誤差信号は、回転制御回路２８に入力され、スピンドルモータ２２は、回転数誤差信号に基づいてモータードライバ２６を介して常に一定速度になるように制御される。
【００１８】
ＲＦアンプ２４で生成された各種サーボ信号は、サーボ回路２７で演算されてモータードライバ２６を介してピックアップ２３内のアクチュエータを駆動して集光されたレーザ光が被判別ディスク２０のピットをトレースするようにフィードバック制御を行う。
【００１９】
これらの制御は、ＣＰＵ２９によるシーケンス制御やシステム制御回路３０内の回路動作により制御される。
【００２０】
次に、ピックアップ２３から得られた信号をＲＦアンプ２４で演算されＰＰ（プッシュプル）信号（Ａ）が生成される。さらに、ＰＰ信号をＲＦアンプ２４内のＢＰＦ（バンド・パス・フィルタ）（Ｂ）を通過させることで、特定の周波数帯域の信号を得ることができる。なお、ＢＰＦ（Ｂ）の通過帯域の周波数設定は、帯域制御回路３１によって制御される。帯域制御回路３１における通過帯域の周波数設定は、ＣＰＵ２９によってシステム制御回路３０に通過周波数の設定指示を行う。なお、光ディスクのメディアの種類と回転数により規格化されている。
【００２１】
そして、ＢＰＦ（Ｂ）を通過した信号は、ウォブル信号として、ウォブル復調回路２５に入力され、復調されて情報信号となる。図６は、ダブルレイヤＤＶＤ＋Ｒの線速度３．４９ｍ／ｓとシングルレイヤＤＶＤ＋Ｒの線速度３．８４ｍ／ｓとの間の帯域を通過させるＢＰＦ（Ｂ）の特性を示す模式図である。
【００２２】
出力されたウォブル信号は、システム制御回路３０を経由し、ＣＰＵ２９によって検出される。検出されたウォブル信号の線速度が、例えば３．４９ｍ／ｓと３．８４ｍ／ｓとの範囲にある速度（中間速度）であるか否かを判別する（図５のステップＳ１０１）。ステップＳ１０１で、中間速度であると判別された場合は、ＤＶＤ＋Ｒの仕様と一致しているかを判別する（ステップＳ１０２）。ステップＳ１０２で、ＤＶＤ＋Ｒの仕様と一致していると判別されると、被判別ディスク２０はＤＶＤ＋Ｒメディアであると特定される（ステップＳ１０３）。
【００２３】
一方、ステップＳ１０２で、ＤＶＤ＋Ｒの仕様と一致していないと判別されると、被判別ディスク２０はＤＶＤ−Ｒ／ＲＷメディアであると特定される（ステップＳ１０８）。
【００２４】
また、ステップＳ１０１で、中間速度でないと判別された場合は（ステップＳ１０１のＮＯ）、上述したメディア（ＤＶＤ＋Ｒ、ＤＶＤ−Ｒ／ＲＷ）以外のメディア（ＣＤ−Ｒ等）であると特定される（ステップＳ１０７）。
【００２５】
ステップＳ１０３で、被判別ディスク２０がＤＶＤ＋Ｒメディアであると特定されると、被判別ディスク２０からコントロールデータをリードする（ステップＳ１０４）。ステップＳ１０４でコントロールデータをリードがＯＫであると、コントロールデータをリードし終了する。一方、ステップＳ１０４でコントロールデータのリードがＮＧであると、リトライを行う（ステップＳ１０６）。
【００２６】
なお、中間速度は、規格化されているダブルレイヤＤＶＤ＋Ｒの線速度とシングルレイヤＤＶＤ＋Ｒの線速度との間の線速度を用いたがこれに限定されることはなく、任意に設定することができる。
【００２７】
（１）また、上述した中間速度で用いられる２種の線速度（Ａ、Ｂ）の中間を算出する計算式としては、
平均値である（Ａ＋Ｂ）／２
ばらつき分布を考慮した２乗平均（Ａ^２＊Ｂ^２)^（１／２）  などを用いる
（２）図７は、印加電圧を加えたときのモータ印可電圧と時間との関係を示した模式図である。図８は、印加電圧を加えた時の一般的に使用されるモータの回転数の立ち上がり特性の一例を示している。また図１１は、減速させるための印加電圧を加えたときのモータ印可電圧と時間との関係を示した模式図である。図１２は、図１１のときのモータの回転数の立ち下がり特性の一例を示した模式図である。
【００２８】
図７、８においては、時間とともに加速度が下がっている。とくに高回転域になるにしたがって逆起電圧の影響により加速度の下がり方が大きくなってくる。
【００２９】
また、図１１、１２の立ち下がり特性においても同じく高回転域で逆起電圧の影響により鋭い下降特性を示し、回転数が下がるほど（負の）加速度が小さくなる。
【００３０】
光ディスクドライブにおいては性能を有効に活用するためモータの有する特性の高回転領域を使用するのが一般的である。例えばＤＶＤ＋Ｒ ２.４xの場合の目標回転数は、１層メディアなら３７９２rpmで２層メディアなら４１６１rpmとなり、その中間（加算／２）は３９７７rpmとなる。しかし、この回転数付近では上述した理由により回転数上昇加速度よりも減速加速度の方が大きく、図７、８中の中間回転数から２層メディアの回転数までの加速時間Ｔ１のほうが、図１１、１２中の中間回転数から１層メディアの回転数までの減速時間Ｔ２よりも大きくなるため、中間周波数を４１６１rpm寄りに設定すれば、モータ加速でもモータ減速でも目標回転数への推移時間は近くなる。このため判別後の回転数変換時間の差がなくなる。  
Ｔ１＝２＊Ｔ２であれば、中間周波数は３９７７＋（４１６１−３９７７）／２＝４０６９rpmとなる。
【００３１】
（３）図９は、入力ウォブルから読み出しクロックを生成するＰＬＬ部のＶＣＯ特性の一例を示した模式図である。図９のような場合に、例えばＤＶＤ＋Ｒ２.４xの場合のウォブル信号の周波数は１９６８kHzであるが、目標回転数は、１層メディアなら３７９２rpmで２層メディアなら４１６１rpmなので、その中間（加算／２）となる３９７７rpmで光ディスクを回転させたときの入力されるウォブル信号は、１層メディアなら２０６４kHzとなり２層メディアなら１８８０kHzとなる。ＶＣＯへの入力周波数は分周期を通るが、簡略的に分周期がない場合を考えると、周波数を下げる下降電圧Ｖ２のほうが、周波数を上げる上昇電圧Ｖ１よりも大きな値となる。ＶＣＯ制御電圧の変移に対しての周波数変動の差があるので制御電圧のゲインが一定の場合は応答速度の差となる。よって、中間周波数つまり中間回転数を１８８０kHz寄りに設定すれば、どちらの周波数へも同等な応答速度となる。Ｖ２＝２＊Ｖ１であれば、中間周波数は１９６８−（１９６８−１８８０）／２＝１９２４kHzとなる。
【００３２】
このように、２種の線速度（Ａ、Ｂ）の中間周波数は計算でえられる数値からその他の応答特性によりずらすことは有利であり、その許容範囲は、（２）（３)の例であれば計算された中間周波数（センター値）        から各線速度（Ａ、Ｂ）までを±１００％とすると±５０％程度が妥当である（図１０参照）。
【００３３】
以上のように、ウォブル信号の検出をダブルレイヤＤＶＤ＋Ｒの線速度とシングルレイヤＤＶＤ＋Ｒの線速度との間の線速度を用いて行うことで、ダブルレイヤＤＶＤ＋ＲとシングルレイヤＤＶＤ＋Ｒの両方のディスクのコントロールデータを１回の処理ステップでリードできる。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】本発明の実施形態に関する光ディスク装置を搭載したノート型のパーソナルコンピュータを示した模式図。
【図２】本発明の実施形態に関する光ディスク装置の外観の一例を示した模式図。
【図３】図２の光ディスク装置からドロワー部が射出した状態を示した模式図。
【図４】本発明の実施形態に関する光ディスク装置の要部構成を示すブロック図。
【図５】本発明の実施形態に係る光ディスク装置を適用したディスク種別判別方法について説明したフローチャート。
【図６】ダブルレイヤＤＶＤ＋Ｒの線速度３．４９ｍ／ｓとシングルレイヤＤＶＤ＋Ｒの線速度３．８４ｍ／ｓとの間の帯域を通過させるＢＰＦ（Ｂ）の特性を示す模式図。
【図７】印加電圧を加えたときのモータ印可電圧と時間との関係を示した模式図。
【図８】印加電圧を加えた時の一般的に使用されるモータの立ち上がり特性の一例を示した模式図。
【図９】入力ウォブルから読み出しクロックを生成するＰＬＬ部のＶＣＯ特性の一例を示した模式図。
【図１０】中間周波数の許容範囲を示した模式図。
【図１１】減速させるための印加電圧を加えたときのモータ印可電圧と時間との関係を示した模式図。
【図１２】図１１のときのモータの回転数の立ち下がり特性の一例を示した模式図。
【符号の説明】
【００３６】
１０…コンピュータ、１１…光ディスク装置、１１ａ…イジェクトボタン、１１ｂ…ドロワー部、１２…ディスプレイユニット、２０…被判別ディスク、２１…回転検出機構、２２…スピンドルモータ、２３…ピックアップ、２４…ＲＦアンプ、２５…ウォブル復調回路、２６…モータードライバ、２７…サーボ回路、２８…回転制御回路、２９…ＣＰＵ、３０…システム制御回路、３１…帯域制御回路。
【図１】
2007273046.tif 000003
【図２】
2007273046.tif 000004
【図３】
2007273046.tif 000005
【図４】
2007273046.tif 000006
【図５】
2007273046.tif 000007
【図６】
2007273046.tif 000008
【図７】
2007273046.tif 000009
【図８】
2007273046.tif 000010
【図９】
2007273046.tif 000011
【図１０】
2007273046.tif 000012
【図１１】
2007273046.tif 000013
【図１２】
2007273046.tif 000014